(57)【要約】【課題】装置としての構成はきわめて簡単でありながら、雨水中の懸濁物が浸透槽１０内に流入するのをほぼ完全に阻止することができる雨水処理施設を得る。【解決手段】雨水処理施設Ａは、透水性シート１１で覆われた浸透槽１０と、浸透槽１０へ雨水を流入させる流入桝２０と、導水部材３０とを備える。流入桝２０はその上部位置に開口２２が形成され、そこから導水部材３０を延出させている。導水部材３０は少なくとも一部に透水性を備えた通水部を有し、そこには透水性シート１１よりも透水係数の小さいフィルター材３１が配設されている。【選択図】図１
2012072598.tif 000002
【特許請求の範囲】
【請求項１】
透水性シートで覆われた浸透槽と、前記浸透槽へ雨水を流入させる流入桝とを少なくとも備えた雨水処理施設であって、前記流入桝はその上部位置に形成した開口部に接続する導水部材を備えており、前記導水部材は前記浸透槽の天井部、内部、側部または底部のいずれかと通水部を介して接続しており、かつ少なくとも前記導水部材の前記通水部にはフィルター材が配設されていることを特徴とする雨水処理施設。
【請求項２】
前記導水部材に配設したフィルター材の透水係数は前記浸透槽を覆う透水性シートの透水係数と等しいかそれよりも小さいことを特徴とする請求項１に記載の雨水処理施設。
【請求項３】
前記浸透槽から周囲地盤への雨水の単位時間当たりの浸透量が、前記導水部材の前記通水部に配設したフィルター材から前記浸透槽への単位時間当たりの透水量以上となるように、前記フィルター材の透水量が設定されていることを特徴とする請求項１または２に記載の雨水処理施設。
【請求項４】
前記流入桝は浸透桝であることを特徴とする請求項１ないし３のいずれか一項に記載の雨水処理施設。
【請求項５】
前記導水部材に配設したフィルター材は取り替え自在であることを特徴とする１ないし４のいずれか一項に記載の雨水処理施設。
【発明の詳細な説明】
【技術分野】
【０００１】
本発明は、大量の降雨時などに雨水を一時的に貯水することで、雨水が道路に冠水したり、中小河川あるいは下水管などが氾濫するのを抑制できるようにした雨水処理施設に関する。
【背景技術】
【０００２】
大量の降雨があったときに、道路側溝を越流して雨水が道路などに流出するのを抑制し、また、中小河川あるいは下水管などにその排水能力を上回る規模の雨水が流れ込むのを防止する目的で、雨水の一部を集水桝から地中に設置した浸透槽に一時的に流入させるようにした雨水処理施設は、特許文献１あるいは２に記載されるようによく知られている。
【０００３】
このような雨水処理施設において、大量の雨水が一気に流れ込んでくる場合に、雨水に含まれる土砂や懸濁物が浸透槽に流入しやすく、流入してしまうと浸透槽の有効容積を低下させることから、雨水処理施設では、浸透槽内に土砂や懸濁物を流入させないようにすることが一つの課題なっている。
【０００４】
その課題に対処するために、特許文献３には、雨水を貯水する浸透槽等に雨水を導入する際、浸透管を経由して導入することで、雨水に含まれる土砂の浸透槽等への流入を防止するようにした浸透管付き槽が記載されている。また、特許文献４では、コンクリート製の硬質槽の側面に形成した複数個の通水開口に、ポーラスコンクリートにて形成された濾過壁を硬質槽の内側から取り付け、硬質槽の貯水空間に入り込んだ雨水が前記通水開口を介して浸透槽の貯水空間に流れ込むときに、雨水に混入している侵入物を濾過壁にて濾過できるようにし、浸透槽への土砂等の浸入を防止した雨水処理施設が記載されている。
【先行技術文献】
【特許文献】
【０００５】
【特許文献１】特開２００９−２１６０号公報
【特許文献２】特開２００９−２４４４７号公報
【特許文献３】特開２００２−２６６４１４号公報
【特許文献４】特開２００８−２５３９７７号公報
【発明の概要】
【発明が解決しようとする課題】
【０００６】
上記のような雨水処理施設において、特許文献３あるいは特許文献４に記載されている技術を採用することにより、浸透槽に土砂等の固形物が浸入するのをある程度は回避することができるが完全ではなく、特に粒子径の小さい懸濁物の浸入を阻止するのは容易でない。特に、特許文献１、特許文献２あるいは特許文献３に記載のように樹脂製部材の多数個を組み上げて貯水槽本体とし、その全体を不織布のような透水性シートで覆うことで浸透槽とした場合には、積層した樹脂製部材で形成される１つ１つの貯水空間が狭いことから、浸透槽内に土砂や懸濁物が入り込んでしまうと、その除去が困難であることに加え、透水性シートに目詰まりを生じさせ、浸透槽から雨水が流出する能力、すなわち浸透能力の低下を招く。
【０００７】
特許文献４に記載の水処理装置のように、コンクリート製の硬質槽の側面に形成した通水開口にポーラスコンクリートにて形成された濾過壁を取り付けることで、雨水に混入している土砂等の固形物が浸透槽内に流れ込むのを高い確率で阻止できると考えられるが、装置の構成が複雑であり施工が容易とはいえない。また、粒径の小さい懸濁物が雨水に混入している場合、それはポーラスコンクリートを通過して浸透槽内に流入する恐れがある。さらに、特許文献４に記載の水処理装置では、硬質槽内に濾過壁の高さを越える大量の雨水が入り込んだ場合、雨水は濾過壁の上部の通水開口の隙間から浸透槽内へ直接越流するようになっており、その場合には、雨水中の土砂等は浸透槽内に流入してしまう。
【０００８】
本発明は、上記のような事情に鑑みてなされたものであり、装置としての構成はきわめて簡単でありながら、雨水中の懸濁物が浸透槽内に流入するのをほぼ完全に阻止することができ、それにより浸透槽の有効容積の低下を招くことがなく、また浸透槽から雨水が周囲の地盤に浸透する能力の低下を招くこともない雨水処理施設を提供することを課題とする。
【課題を解決するための手段】
【０００９】
本発明による雨水処理施設は、透水性シートで覆われた浸透槽と、前記浸透槽へ雨水を流入させる流入桝とを少なくとも備えた雨水処理施設であって、前記流入桝はその上部位置に形成した開口部に接続する導水部材を備えており、前記導水部材は前記浸透槽の天井部、内部、側部または底部のいずれかと通水部を介して接続しており、かつ少なくとも前記導水部材の前記通水部にはフィルター材が配設されていることを特徴とする。
【００１０】
上記の雨水処理施設では、道路側溝等を流れる雨水は一度流入桝に集められ、そこから浸透槽に流入する。流入桝はその上部位置に開口部が形成されており、上部位置に開口部から導水部材内に流入する。そのために、導水部材に流入する雨水は、流入桝の底部に土砂等の固形物を沈下させた後の雨水、すなわち上澄み液となる。しかし、上澄み液において、固形物が完全に除去されるわけではなく、粒子径の小さい懸濁物等が含まれている可能性が高い。
【００１１】
本発明による雨水処理施設では、前記導水部材は浸透槽の天井部、内部、側部または底部のいずれかと通水部を介して接続しており、かつ少なくとも前記導水部材の前記通水部にはフィルター材が配設されているので、流入桝から導水部材に流入する雨水中に粒子径の小さい懸濁物等が含まれている場合でも、それは導水部材の少なくとも前記通水部に配置したフィルター材によって除去される。そのために、懸濁物が浸透槽内に入り込むのをほぼ完全に阻止することができる。結果として、浸透槽を覆っている透水性シートに目詰まりが生じるのも長期間にわたって回避することが可能となり、維持管理を行わないあるいは行うのが困難な雨水処理施設であっても、浸透槽から雨水が周囲の地盤に浸透していく能力、すなわち浸透能力が低下するのを長期間にわたって回避することが可能となる。
【００１２】
なお、本発明による雨水処理施設において、浸透槽自体は、例えば特許文献４に記載されているような従来知られたものであってよく、施工に当たっては、流入桝と浸透槽との間の適所に前記した導水部材をフィルター材とともに配置すればよいので、施工は容易である。
【００１３】
本発明による雨水処理施設の好ましい態様においては、導水部材の少なくとも前記通水部に配設するフィルター材の透水係数は、前記浸透槽を覆う透水性シートの透水係数と等しいかそれよりも小さいことを特徴とする。ここで、透水係数とは、単位面積を単位時間に移動する水量をいう。
【００１４】
この態様では、導水部材の少なくとも前記通水部に配設したフィルター材を通過して懸濁物が浸透槽内に流入してしまった場合でも、その懸濁物は浸透槽を覆う透水性シートを通過して槽外に排出、すなわち周囲の地盤中に浸透していくので、浸透槽内に雨水中の懸濁物が堆積物として滞留してしまうのを、より確実に回避することができる。
【００１５】
本発明による雨水処理施設の好ましい態様においては、前記浸透槽から周囲地盤への雨水の単位時間当たりの浸透量が、前記導水部材の前記通水部に配設したフィルター材から前記浸透槽への単位時間当たりの透水量以上となるように、前記フィルター材の透水量が設定されていることを特徴とする。ここで、「浸透槽から周囲地盤への雨水の単位時間当たりの浸透量」は、周囲の地盤の透水係数と浸透槽表面積の積から演算される値であり、「フィルター材から浸透槽への単位時間当たりの透水量」は、フィルター材の透水係数とフィルター材の有効面積の積から演算される値である。なお、「フィルター材の有効面積」とは、雨水が通過したフィルター材の全面積から通過した雨水が浸透槽内に流入しなかったフィルター材の面積部分を除いた面積である。
【００１６】
一般に、地中に埋設した浸透槽からの雨水の浸透量は、周囲の地盤の浸透能力に左右されるが、この態様では、上記のように「フィルター材から浸透槽への単位時間当たりの透水量」を設定したことにより、フィルター材が雨水に対するバリアとなって浸透槽内に雨水が貯水されなくなる事態が生じるのを回避することができる。
【００１７】
本発明による雨水処理施設の好ましい態様においては、前記流入桝は浸透桝であることを特徴とする。流入桝を浸透桝とすることにより、より大量の雨水に対する流出抑制処理が可能となる。
【００１８】
本発明による雨水処理施設の好ましい態様においては、導水部材の少なくとも前記通水部に配設したフィルター材は取り替え自在であることを特徴とする。この態様では、フィルター材に目詰まりが生じたときに、新しいフィルター材と交換することで、流出抑制処理の長期にわたるメンテナンスが容易となる。
【００１９】
本発明による雨水処理施設において、前記した導水部材は、求められる機械的強度を備えることを条件に適宜の材料で作ることができる。例として、透水性コンクリート、孔やスリットを備えた樹脂材料や金属材料、コンクリート二次製品等が挙げられる。また、フィルター材は透水性を備えかつ懸濁物のような微粒子を捕捉することのできる材料を適宜用いることができる。例として、不織布、織布、連通した気泡を有する発泡樹脂シート等が挙げられる。
【発明の効果】
【００２０】
本発明によれば、装置としての構成はきわめて簡単でありながら、雨水中の懸濁物が浸透槽内に流入するのをほぼ完全に阻止することができ、それにより、維持管理が困難な場合であっても、浸透槽から雨水が周囲の地盤に浸透する能力を長期間にわたって維持することのできる雨水処理施設が得られる。
【図面の簡単な説明】
【００２１】
【図１】本発明による雨水処理施設の一実施の形態を断面で示す概略図。
【図２】図１のＩＩ−ＩＩ線に沿う断面の拡大図。
【図３】本発明による雨水処理施設の他の実施の形態を説明するための図２に相当する図。
【図４】本発明による雨水処理施設のさらに他の実施の形態を説明するための図２に相当する図。
【図５】本発明による雨水処理施設のさらに他の実施の形態を説明するための図１に相当する図。
【図６】本発明による雨水処理施設のさらに他の実施の形態を説明するための図１に相当する図。
【発明を実施するための形態】
【００２２】
以下、図面を参照しながら、本発明の実施の形態を説明する。
図１および図２に示す雨水処理施設Ａは、透水性シート１１で覆われた浸透槽１０と、前記浸透槽１０へ雨水を流入させる流入桝２０と、雨水を前記流入桝２０から前記浸透槽１０へ導入する導水部材３０とを備えている。
【００２３】
前記浸透槽１０は、例えば特許文献２に記載されるような樹脂製部材１２の多数個を組み上げて直方体状に形成したものであり、その外周面全体が不織布のような透水性シート１１によって覆われている。施工に当たっては、所要深さに掘削した掘削部の底面に透水性コンクリートあるいは砕石を敷き詰めて基礎１３を作り、その上に前記浸透槽１０を形成する。この例において、浸透槽１０の上には、上載荷重の平均化を図る目的でコンクリート床版１４が配置され、その上に、土盛りがされている。なお、コンクリート床版１４は省略してもよい。
【００２４】
前記流入桝２０は、前記浸透槽１０の端面側に接するようにして設置される。この例において、流入桝２０は透水性コンクリートで作られており、全体として断面矩形状の筒体であって、その底面は開放している。また、流入桝２０の上面は地表面に達しており、上面には管理口２４が形成されている。流入桝２０の開放した下端部の位置は、前記浸透槽１０の底面と同じレベルとされており、前記した透水性コンクリートあるいは砕石を敷き詰めて基礎１３は、流入桝２０の開放した下端部にまで達している。なお、流入桝２０の下端位置は、浸透槽１０の底面より下方まで延出していてもよい。
【００２５】
流入桝２０の側壁であって、前記浸透槽１０の端面に接する側壁２１には、その上部位置に矩形状の開口２２が形成されている。また、流入桝２０の他の側壁には、前記開口２２よりも上位の位置に、側溝等からの雨水の流入口２３が形成されている。前記開口２２の横幅は前記した浸透槽１０の横幅よりも狭く、縦幅も浸透槽１０の縦幅より狭い。図示のものにおいて、開口２２の横幅は浸透槽１０の横幅の１／４程度であり、縦幅は積層した前記樹脂製部材１２の３〜４枚分程度である。そして、前記開口２２は、地中に埋設された浸透槽１０の横幅方向の中央部あるいはその近傍に、開口上端が浸透槽１０の上面１５（図２参照）にほぼ一致するようにして形成されている。
【００２６】
前記導水部材３０は長尺状の部材であり、この例では、透水性コンクリートで作られた断面矩形状の筒状部材であって、導水部材３０の全体が透水性を備える。導水部材３０の断面形状および寸法は、流入桝２０の側壁２１に形成した前記矩形状の開口２２とほぼ同じ形状および寸法とされており、その開放している一端側を流入桝２０の前記開口２２に当接させている。導水部材３０の他方の端面は閉鎖している。導水部材３０の長さは、少なくとも浸透槽１０内に延出していることを条件に制限はないが、図示の例では、浸透槽１０の一方端から他方端まで達する長さとされている。
【００２７】
そして、図示のように、浸透槽１０の前記流入桝２０の側壁２１に形成した開口２２に対向する領域には、該開口２２の断面形状とほぼ一致する形状に樹脂製部材１２が除去されることで、上方が開放した凹溝１６とされており、該凹溝１６内に、前記した導水部材３０が入り込んでいる。上記のように、この例で導水部材３０は全体として透水性を備えており、かつその天面を除いた３つの側面は浸透槽１０内に面しているので、この実施の形態では、導水部材３０の全体が浸透槽１０に対する「通水部」を構成している。
【００２８】
そのようにして設置された前記導水部材３０の内面には、不織布（例えば、株式会社ユニチカ製アビールＡＮ４００Ｂ）のような材料からなるシート状のフィルター材３１が配設されている。好ましくは、前記フィルター材３１の材料には、その透水係数が浸透槽１０を覆う透水性シート１１の透水係数よりも小さいまたは等しい材料が選択され、また、浸透槽１０の全周面から周囲地盤への雨水の単位時間当たりの浸透量が、前記フィルター材３１の全面積から浸透槽１０への単位時間当たりの透水量以上となるように、フィルター材３１の有効面積を調整するなどして、透水量が設定される。
【００２９】
上記雨水処理施設Ａの集水時の作用を説明する。図示しない側溝等からの雨水は、流入桝２０に形成した流入口２３から流入桝２０内に流入する。流入した雨水は流入桝２０の開放した底面から地中に浸透していく。また、透水性コンクリートである周囲の側壁からも地中に浸透していく。流入桝２０で処理しきれない量の雨水が流入桝２０に流入したとき、流入桝２０内での雨水の水位は次第に上昇する。水位が開口２２のレベルに達すると、雨水は開口２２を通って導水部材３０内に流入し、そこでフィルター材３１による濾過作用を受けた後、浸透槽１０内に流入する。雨水が浸透槽１０内に流入することで、雨水が道路面等に流出するのを回避することができる。
【００３０】
流入桝２０に流入した雨水は、導水部材３０に流入する前に、流入桝２０内に一時的に滞留する。その間に、雨水に含まれる土砂等の固形物は、流入桝２０の開放した底部から雨水が地中に浸透していく過程で、流入桝２０の底部に沈殿する。そして、固形物を沈殿させた後の上澄み液が、開口２２を通して導水部材３０内に流入する。導水部材３０内に流入した雨水は、さらに、導水部材３０内に装着されたフィルター材３１よる濾過作用を受けることで、懸濁物のような雨水中に浮遊しているより細かい固形物も除去される。
【００３１】
上記のことから、本発明による雨水処理施設では、流入桝２０に流入する雨水に含まれる土砂や懸濁物のような固形物が、浸透槽１０内に入り込むのを高い確率で阻止することが可能となる。そのために、浸透槽１０のメンテナンス作業を大きく削減することができる。また、結果として、浸透槽１０を覆っている透水性シート１１に目詰まりが生じるのも長期間にわたって回避することができ、維持管理を行わないあるいは行うのが困難な雨水処理施設Ａであっても、浸透槽１０から雨水が周囲の地盤に浸透していく能力、すなわち浸透能力が低下するのを長期間にわたって回避することができる。
【００３２】
また、前記フィルター材３１の透水係数を、浸透槽１０を覆う透水性シート１１の透水係数と等しいかまたは小さくすることにより、フィルター材３１を通過して懸濁物が浸透槽１０内に流入してしまった場合でも、その懸濁物は浸透槽１０を覆う透水性シート１１を通過して、容易に槽外に排出されて周囲の地盤中に浸透していく。それにより、浸透槽１０内に雨水中の懸濁物が堆積物として滞留してしまうのを、より確実に回避することができる。
【００３３】
また、浸透槽１０から周囲地盤への雨水の単位時間当たりの浸透量が、前記フィルター材３１から浸透槽１０への単位時間当たりの透水量以上となるように、フィルター材３１の透水量を設定しておくことにより、フィルター材３１が雨水に対するバリアとなって浸透槽１０内に雨水が貯水されなくなる事態を確実に回避することができる。
【００３４】
図３（ａ）は、本発明による雨水処理施設の他の態様での浸透槽１０と導水部材３０の形状を示す、図２に相当する図である。同じ部材には同じ符号を付している。ここでは、導水部材３０が、筒状部材ではなく、Ｕ字型側溝の形状をなしており、その下部側が浸透槽１０内に入り込んでいる。この態様では、Ｕ字型側溝の浸透槽１０内に入り込んでいる部分が本発明でいう「通水部」を構成することとなる。しかし、この態様においては、通水部に限らず、Ｕ字型側溝の全内面を覆うようにしてフィルター材３１が装着されている。導水部材３０の上端は地表面に位置しており、そこには蓋３２が備えられている。この態様では、導水部材３０の上方が開放自在であることから、フィルター材３１が目詰まりしたとき等でのフィルター材３１の交換作業がきわめて容易となる。
【００３５】
図３（ｂ）は、さらに他の態様を示す図２に相当する図である。ここでは、やはりＵ字型側溝の形状をなす導水部材３０が、浸透槽１０の天井面にそのまま乗った形状となっている。この態様では、透水性を備えたＵ字型側溝から浸透してくる雨水が直接または周囲の地盤を通して浸透槽１０内に入り込むこととなるので、Ｕ字型側溝全体が本発明でいう「通水部」を構成しているといえる。また、この態様では、浸透槽１０に前記した上方が開放した凹溝１６を設けることを要しないので、浸透槽１０の構築が容易となる。
【００３６】
図３（ｃ）は、さらに他の態様を示す図２に相当する図である。ここでは、浸透槽１０とＵ字型側溝の形状をなす導水部材３０との間にコンクリート床版１４を設置した点で、図３（ｂ）に示す形態と異なっている。この場合には、コンクリート床版１４の少なくとも導水部材３０に接する領域に透水性を持たせるか、多数の透水孔を形成することが必要となる。この態様でも、Ｕ字型側溝全体が本発明でいう「通水部」を構成しているといえる。
【００３７】
図４（ａ）は、さらに他の態様を示す図２に相当する図である。ここでは、フィルター材３１を導水部材３０の内周面ではなく外周面側に配置している点で、図２に示したものと相違している。この態様では、浸透槽１０を覆う透水性シート１１と同じものをフィルター材３１として用いることができる利点がある。しかし、より高い作用効果を得るために、浸透槽１０を覆う透水性シート１１よりは透水係数の小さいシートを用いることが望ましい。
【００３８】
図４（ｂ）は、さらに他の態様を示す図２に相当する図である。この態様は、フィルター材３１を導水部材３０の内周面ではなく外周面側に配置している点で、図３（ａ）に示した態様と相違する。この態様では、導水部材３０を除去するだけで、フィルター材３１を交換できる利点がある。
【００３９】
図４（ｃ）は、さらに他の態様を示す図２に相当する図であり、この態様では、導水部材３０が、その上面側を浸透槽１０の底面に接するようにして、浸透槽１０の下に設置されている。そして、導水部材３０の全内周面を覆うようにしてフィルター材３１が配設されている。この態様では、集水桝２０の前記開口２２から溢れ出た上澄み液が導水部材３０内に流入し、流入した水が導水部材３０の許容水量を超えた時点で、その天面を通過して浸透槽１０内に浸入していくこととなる。従って、この態様では、本発明でいう「通水部」は、導水部材３０の天面部が相当するといえるが、ここでは、前記したように、導水部材３０の全内周面を覆うようにしてフィルター材３１を配設している。また、導水部材３０は、図示のように、透水性を備えたＵ字型側溝であってよい。
【００４０】
図５（ａ）（ｂ）、図６（ａ）（ｂ）は、本発明による雨水処理施設のさらに他の態様を示す、図１に相当する図である。図５（ａ）（ｂ）、図６（ａ）（ｂ）において、図１に示した部材に相当する部材には同じ符号を付している。
【００４１】
図５（ａ）に示す態様では、集水桝２０の前記した開口２２が形成されている側壁２１に沿うようにして箱型をなす導水部材３０が形成されており、該箱型をなす導水部材３０の一側壁３５が浸透槽１０の端面に当接している。そして、導水部材３０の側壁３５における浸透槽１０の上部領域に対向する位置には開口３６が形成されており、導水部材３０内の雨水は該開口３６を通って浸透槽１０に流入する。従って、この態様においては、前記開口３６が本発明でいう「通水部」に相当する。
【００４２】
また、前記開口３６の上部位置には適宜の突起３７が設けてあり、そこを利用して、そこより下方の領域を覆うようにしてフィルター材３１が配設されている。また、集水桝２０の前記した開口２２から導水部材３０の内部空間に向けて吐出口を下方に向けて導水パイプ３８が取り付けられている。さらに、導水部材３０の上端は地表面に達しており、管理口３９となっている。
【００４３】
この態様では、従来の雨水処理施設での浸透槽をそのまま浸透槽１０として用いることができるので、浸透槽１０の施工が簡素化される。また、管理口３９から、導水部材３０内のメンテナンス、フィルター材３１の点検や交換作業が容易となる。なお、図示の例では、突起３７を設け、それを利用してフィルター材３１を取り付けるようにしたが、適宜の取り付け用プレートを用いて、ボルト等により導水部材３０の壁部にフィルター材３１に直接固定することもできる。導水部材３０を透水性コンクリートで作り、導水部材３０全体に透水性を持たせるようにしてもよい。
【００４４】
図５（ｂ）に示す態様では、集水桝２０と導水部材３０とが分離して設けられている点で、図５（ａ）に示したものと相違している。この態様では、集水桝３０と導水部材３０とを管路４０で接続するようにしており、集水桝２０と導水部材３０との設置位置の自由度が大きくなる。
【００４５】
図６（ａ）に示す態様では、フィルター材３１が導水部材３０の天井部から吊り下げるようにして取り付けられており、前記した導水パイプ３８はフィルター材３１を貫通して吐出口をフィルター材３１内部に開放している。さらに、フィルター材３１は内部に多くのひだ４１を設けることで、大きな表面積を確保している。
【００４６】
この態様では、フィルター材３１の表面積を大きく確保できることから、導水部材３０の容積が図５（ａ）のものと比較して小さくても、雨水に混入している粒子径の小さい懸濁物等を十分に濾過した状態で、大量の雨水を浸透槽１０へ流入させることができる利点がある。
【００４７】
図６（ｂ）に示す態様では、袋状のフィルター材３１を導水部材３０の天井部から吊り下げるようにして取り付けられている点で、前記した図６（ａ）のものと相違する。袋状であることから、フィルター材３１の取り付け作業、交換作業はきわめて容易となる。
【符号の説明】
【００４８】
Ａ…雨水処理施設、
１０…浸透槽、
１１…透水性シート、
１２…浸透槽を構成する樹脂製部材、
１３…基礎、
１４…コンクリート床版、
１５…浸透槽の上面、
２０…流入桝、
２１…流入桝の側壁、
２２…側壁に形成した開口、
２３…雨水の流入口、
３０…透水性の導水部材、
３１…フィルター材。
【図１】
2012072598.tif 000003
【図２】
2012072598.tif 000004
【図３】
2012072598.tif 000005
【図４】
2012072598.tif 000006
【図５】
2012072598.tif 000007
【図６】
2012072598.tif 000008